(57)【要約】【課題】多数重ね置いたり又は並べ置いたりした際に整一な状態で保管できる開閉式のバリケードを提供する。【解決手段】バリケード１Ａは、前側の脚部材２における脚部材本体部２１の中心軸線ＣＬが、回動部１１周りにおいて該回動部１１よりも前方に偏位していると共に、後側の脚部材２における脚部材本体部２１の中心軸線ＣＬが、該回動部１１周りにおいて該回動部１１よりも後方に偏位しており、閉脚状態βとするとバリケード前面ｘとバリケード後面ｙとが互いに平行となる。【選択図】図３
2013007179.tif 000002
【特許請求の範囲】
【請求項１】
開脚することで自立して使用可能となる開脚状態、又は、閉脚することで鉛直方向に重ね置き又は水平方向に並び置きして保管可能となる閉脚状態、となる開閉式のバリケードであって、
互いに各上端部が回動自在に連結された前後一対の脚部材を備え、該前後一対の脚部材が左右に配置され、かつ各前後一対の脚部材における脚部材同士が連結している回動部間に、上側横架部が差し渡されており、
前記回動部において前側の脚部材の中心軸線が、該回動部周りにおいて該回動部よりも前方に偏位していると共に、後側の脚部材の中心軸線が、該回動部周りにおいて該回動部よりも後方に偏位しており、
前記閉脚状態では、各前後一対の脚部材において該脚部材の閉じる方向への回動が規制され、かつ、保管時に隣接する他のバリケードが当接することとなるバリケード前面とバリケード後面とが互いに平行になることを特徴とするバリケード。
【請求項２】
前記脚部材が、脚部材本体部と、該脚部材本体部の上端部から屈曲して差し出されているオフセット部と、からなり、
該オフセット部の先端部に、前記回動部が配置されており、
前側の脚部材における脚部材本体部の中心軸線が、該回動部周りにおいて該回動部よりも前方に偏位していると共に、後側の脚部材における脚部材本体部の中心軸線が、該回動部周りにおいて該回動部よりも後方に偏位している
請求項１に記載のバリケード。
【請求項３】
前記回動部が、
一方の脚部材の上端部に突設された左右方向の軸部と、
他方の脚部材の上端部に設けられた、前記軸部に回動自在に嵌合している嵌合部と、
で構成されている
請求項１又は請求項２に記載のバリケード。
【請求項４】
一方の脚部材の前記軸部に第１の係止部が設けられ、他方の脚部材の前記嵌合部に前記第１の係止部に係止可能な第２の係止部が設けられ、
該前後一対の脚部材が開く方向に回動して該第１の係止部と該第２の係止部とが係止した状態になると、前記前後一対の脚部材の開く方向への回動が規制されて前記開脚状態となる
請求項３に記載のバリケード。
【請求項５】
前記前後一対の脚部材の上端部における連結構造が、左右に配置された該前後一対の脚部材間において互いに非鏡像関係の同一形状となっている
請求項１乃至請求項４のいずれか１項に記載のバリケード。
【請求項６】
前記左右に配置された前後一対の脚部材間において前側の脚部材同士及び後側の脚部材同士にそれぞれ差し渡された下側横架部を備えており、
前記前側の下側横架部と、前記後側の下側横架部との間に、リンク部材からなる伸縮自在な開き角度規制手段が掛け渡されており、該開き角度規制手段が最大に伸長した位置で、前後一対の脚部材の開く方向への回動が規制されて前記開脚状態となる
請求項１乃至請求項５のいずれか１項に記載のバリケード。
【請求項７】
前記開き角度規制手段が、左右方向に複数列設されており、少なくとも一対の開き角度規制手段の間に、左右方向に配向された操作杆が差し渡されており、
該操作杆が引き上げられると、該操作杆の上昇に伴い前記開き角度規制手段が収縮すると共に前側の下側横架部と後側の下側横架部とが接近し、前後一対の脚部材が閉じる方向へ回動する
請求項６に記載のバリケード。
【発明の詳細な説明】
【技術分野】
【０００１】
本発明は、開脚することで自立して使用可能となる開脚状態、又は、閉脚することで鉛直方向に重ね置き又は水平方向に並び置きして保管可能となる閉脚状態、となる開閉式のバリケードに関するものである。
【背景技術】
【０００２】
工事現場等で使用されるバリケードはよく知られている。該バリケードは、開閉式となっており、開脚させると自立可能となり、工事現場等の所要位置に設置されて車両や人の侵入を防止する。一方、該バリケードは、閉脚させるとコンパクトな形態となるため、多数のバリケードを鉛直方向に重ね置き又は水平方向に並び置きして保管可能となる。
【０００３】
例えば、特許文献１には、相互の支持脚を閉じる方向に力を加えると閉脚する木製バリケードが開示されている。また、特許文献２には、第２の脚体を第１の脚体の支柱間に収納することによって閉じた状態となるバリケードが開示されている。さらに、特許文献３には、コの字状断面の柱部材が互いに嵌め合い状態に重ねられて閉じた状態となるバリケードが開示されている。
【先行技術文献】
【特許文献】
【０００４】
【特許文献１】特開２０００−３５５９１６号公報
【特許文献２】特開２００３−３４２９２２号公報
【特許文献３】特開２００９−４１２８８号公報
【発明の概要】
【発明が解決しようとする課題】
【０００５】
しかしながら、上記特許文献１に開示されている構成は、次のような問題がある。すなわち、保管すべく、支持脚の上端部に設定された回動部を中心に該支持脚を閉じて、該支持脚と該支持脚に設けられた下部平板とが当接した閉脚状態とした際に、保管時に隣接することとなる他のバリケードが当接するバリケード前面とバリケード後面とが互いに平行にならない。このため、該バリケードを多数重ね置き、又は並び置いた場合には、バリケードの上端が並ぶ位置と下端が並ぶ位置とで厚みの偏りが生じてしまい、多数のバリケードを整一な状態で保管しておくことができないという問題が生じる。特にバリケードを積み上げた場合は、荷崩れが起こりやすく、危険である。また、特許文献２に開示されている構成も、脚体と左右方向の連結部材とが当接した閉脚状態において、バリケード前面とバリケード後面とが互いに平行にならず、上記特許文献１にかかる構成と同様の問題が生じる。さらに、特許文献３に開示されている構成は、コの字状断面の柱部材が互いに嵌め合う状態で閉脚状態となるため、該閉脚状態でバリケード前面とバリケード後面とが互いに平行となりうるが、仮に脚部材に管材を適用した場合には、コの字状断面の柱部材を構成することができず、閉脚状態でバリケード前面とバリケード後面とを平行にすることができなくなる。
【０００６】
そこで、本発明は、脚部材の断面形状に制限されることなく、閉脚状態でバリケード前面とバリケード後面とが平行となることにより、多数のバリケードを整一な状態で保管しておくことができる開閉式のバリケードを提供することを目的とする。
【課題を解決するための手段】
【０００７】
本発明は、開脚することで自立して使用可能となる開脚状態、又は、閉脚することで鉛直方向に重ね置き又は水平方向に並び置きして保管可能となる閉脚状態、となる開閉式のバリケードであって、互いに各上端部が回動自在に連結された前後一対の脚部材を備え、該前後一対の脚部材が左右に配置され、かつ各前後一対の脚部材における脚部材同士が連結している回動部間に、上側横架部が差し渡されており、前記回動部において前側の脚部材の中心軸線が、該回動部周りにおいて該回動部よりも前方に偏位していると共に、後側の脚部材の中心軸線が、該回動部周りにおいて該回動部よりも後方に偏位しており、前記閉脚状態では、各前後一対の脚部材において該脚部材の閉じる方向への回動が規制され、かつ、保管時に隣接する他のバリケードが当接することとなるバリケード前面とバリケード後面とが互いに平行になることを特徴とするバリケードである。
【０００８】
このように本発明は、脚部材の中心軸線を回動部に対して偏位させて該中心軸線上に回動部が位置しないような構成としたことを大きな特徴としている。こうすることで、脚部材の断面形状に制限されることなく、各前後一対の脚部材において該脚部材の閉じる方向への回動が規制された閉脚状態でバリケード前面とバリケード後面とを互いに平行とすることが可能となり、多数のバリケードを重ね置き又は並び置いた際にこれらバリケードが整一に配列されることになる。したがって、本発明にかかるバリケードは、安定して高く積み上げたり、コンパクトに並べ置いたりすることができる利点がある。また、前記したように本発明は、脚部材の断面形状に制限を受けないため、例えば脚部材として簡素で軽量なパイプ（管材）を用いることも可能である。
【０００９】
また、上記構成にあって、前記脚部材が、脚部材本体部と、該脚部材本体部の上端部から屈曲して差し出されているオフセット部と、からなり、該オフセット部の先端部に、前記回動部が配置されており、前側の脚部材における脚部材本体部の中心軸線が、該回動部周りにおいて該回動部よりも前方に偏位していると共に、後側の脚部材における脚部材本体部の中心軸線が、該回動部周りにおいて該回動部よりも後方に偏位しているものとしてもよい。
【００１０】
かかる構成とすることにより、比較的細い外径寸法の脚部材を用いた場合にも、該回動部に対して脚部材本体部の中心軸線を所要距離だけ偏位させることが可能となり、閉脚状態で適切にバリケード前面とバリケード後面とを平行にすることができる。
【００１１】
また、前記回動部が、一方の脚部材の上端部に突設された左右方向の軸部と、他方の脚部材の上端部に設けられた、前記軸部に回動自在に嵌合している嵌合部と、で構成されているものとしてもよい。
【００１２】
かかる構成とすることにより、部品点数を増やすことなく前記回動部を簡易な構造とすることが可能となるため、脚部材の連結作業が容易になり、全体としてバリケードの組付け作業が簡便なものとなる。
【００１３】
さらに、上記構成にあって、一方の脚部材の前記軸部に第１の係止部が設けられ、他方の脚部材の前記嵌合部に前記第１の係止部に係止可能な第２の係止部が設けられ、該前後一対の脚部材が開く方向に回動して該第１の係止部と該第２の係止部とが係止した状態になると、前記前後一対の脚部材の開く方向への回動が規制されて前記開脚状態となる構成が提案される。
【００１４】
かかる構成にあっては、例えば軸部と第１の係止部とを、あるいは嵌合部と第２の係止部とをそれぞれ一体成形することが可能となり、部品点数を増やすことなく簡易な構造で脚部材の開く方向への回動を確実に規制することができる。
【００１５】
また、前記前後一対の脚部材の上端部における連結構造が、左右に配置された該前後一対の脚部材間において互いに非鏡像関係の同一形状となっている構成とすることもできる。
【００１６】
このように前記連結構造を、非鏡像関係の同一形状とすると、該連結構造を構成する部品を、共通の金型等を用いて作製することが可能となり、全体としてバリケードの製造コストを抑えることが可能となる。
【００１７】
また、前記左右に配置された前後一対の脚部材間において前側の脚部材同士及び後側の脚部材同士にそれぞれ差し渡された下側横架部を備えており、前記前側の下側横架部と、前記後側の下側横架部との間に、リンク部材からなる伸縮自在な開き角度規制手段が掛け渡されており、該開き角度規制手段が最大に伸長した位置で、前後一対の脚部材の開く方向への回動が規制されて前記開脚状態となる構成が好ましい。
【００１８】
かかる構成とすることにより、下側横架部を用いて脚部材の開き角度を規制することができるため、該バリケードの構造を複雑にすることなく、確実に開脚状態を保持することが可能となる。
【００１９】
さらに、前記開き角度規制手段が、左右方向に複数列設されており、少なくとも一対の開き角度規制手段の間に、左右方向に配向された操作杆が差し渡されており、該操作杆が引き上げられると、該操作杆の上昇に伴い前記開き角度規制手段が収縮すると共に前側の下側横架部と後側の下側横架部とが接近し、前後一対の脚部材が閉じる方向へ回動する構成が好ましい。
【００２０】
かかる構成とすることにより、作業者が容易にバリケードを開脚状態から閉脚状態とすることができるため、バリケードの撤去作業や保管作業が迅速に行える利点がある。
【発明の効果】
【００２１】
本発明のバリケードは、閉脚状態でバリケード前面とバリケード後面とが平行となるため、鉛直方向に重ね置いた際又は水平方向に並び置いた際に整一に配列可能となる優れた効果がある。
【図面の簡単な説明】
【００２２】
【図１】実施例１にかかる開脚状態のバリケードを示す側面図。
【図２】図１に示すバリケードの正面図。
【図３】実施例１にかかる閉脚状態のバリケードを示す側面図。
【図４】図３に示すバリケードの正面図。
【図５】前後一対の脚部材における回動部を拡大して示す拡大斜視図であって、（ａ）は閉脚状態を示す拡大斜視図、（ｂ）は開脚状態を示す拡大斜視図。
【図６】開き角度規制手段の回動部を拡大して示す拡大斜視図。
【図７】閉脚状態における前後一対の脚部材の下端部を拡大して示す拡大斜視図。
【図８】実施例２にかかる開脚状態のバリケードを示す正面図。
【図９】実施例３にかかる前後一対の脚部材における回動部を示す平面図。
【発明を実施するための形態】
【００２３】
以下、本発明の開閉式のバリケードを具体化した実施例を詳細に説明する。なお、説明上、該バリケードに対して前後方向、及び左右方向を規定しているが、本発明の要旨を限定するものではない。また、本発明は、下記に示す実施例に限定されることはなく、適宜設計変更が可能である。
【００２４】
（実施例１）
図１に示すように、バリケード１Ａは、回動自在に連結された前後一対の脚部材２，２を備えている。具体的には、各脚部材２，２の上端部に回動部１１が設定されており、該回動部１１を介して該脚部材２，２が回動する。また、各脚部材２は、直線形状の脚部材本体部２１と、該脚部材本体部２１の上端部から前記回動部１１に向かって屈曲して差し出されているオフセット部２２とを備えている。そして、該オフセット部２２の先端部（図１において上端部）に、前記回動部１１が配されている。なお、脚部材本体部２１に対するオフセット部２２の屈曲角度や屈曲形状は、本実施例のものに限定されることはなく、例えば鋭角に折れ曲がる形状であってもよいし、緩やかに湾曲する形状であってもよい。
【００２５】
また、前記バリケード１Ａにおいては、図２に示すように、前記前後一対の脚部材２，２が、左右に並んで二つ配置されている。そして、該左右に配置された前後一対の脚部材２，２の間であって、前記回動部１１に対応する位置には、看板４０が吊り下げられた上側横架部４が差し渡されている。また、図１，２に示すように、該左右に配置された前後一対の脚部材２，２の間であって、前側の脚部材２，２の下端部同士、及び後側の脚部材２，２の下端部同士には、それぞれ下側横架部６，６が差し渡されている。
【００２６】
また、図１に示すように、前記前側の下側横架部６と、前記後側の下側横架部６との間には、リンク部材７Ａ，７Ａで構成された開き角度規制手段７が掛け渡されている。さらに詳述すると、該開き角度規制手段７の各リンク部材７Ａ，７Ａは、回動部５１を介して互いに連結されていると共に、前記前側の下側横架部６及び前記後側の下側横架部６に対してそれぞれ回動自在に連結されている。そして、該開き角度規制手段７は、前記回動部５１を中心にして開閉することにより、前後方向に伸縮する。
【００２７】
また、図４に示すように、前記開き角度規制手段７は、前側の下側横架部６と後側の下側横架部６との間において左右に並んで二つ列設されており、該左右一対の開き角度規制手段７，７の回動部５１，５１間には、左右方向に配向された操作杆８が差し渡されている。
【００２８】
また、図１，図３に示すように、本発明のバリケード１Ａは、前側の脚部材２における脚部材本体部２１の中心軸線ＣＬが、前記回動部１１周りにおいて該回動部１１よりも前方に偏位していると共に、後側の脚部材２における脚部材本体部２１の中心軸線ＣＬが、該回動部１１周りにおいて該回動部１１よりも後方に偏位している。
【００２９】
さらに、図５に従って前記回動部１１について詳述する。
前後一対の脚部材２，２において、一方の脚部材２の上端部に、左右方向に配向された軸部１３が形成され、他方の脚部材２の上端部に、ほぼＣ字状の嵌合部１５が形成されている。そして、該嵌合部１５の先端に形成された切欠部を介して、該嵌合部１５内に該軸部１３が圧入されることにより、該軸部１３と該嵌合部１５とが回動自在に嵌合している。そして、該軸部１３周りに該嵌合部１５が回動して該前後一対の脚部材２，２が開閉することとなる。
【００３０】
また、図５ａに示すように、前記回動部１１における軸部１３の幅広頭部１３Ａには、第１係止部１４が突設されていると共に、前記嵌合部１５の根端部近傍には、前記第１係止部１４に係止可能な第２係止部１６が設けられている。そして、該前後一対の脚部材２，２が開く方向に回動し、該第１係止部１４と該第２係止部１６とが係止した状態になると（図５ｂ参照）、該前後一対の脚部材２，２の開く方向への回動が規制される。
【００３１】
さらに、図６に従って前記開き角度規制手段７における回動部５１について詳述する。
開き角度規制手段７におけるリンク部材７Ａ，７Ａにおいて、一方のリンク部材７Ａの端部には、左右方向に配向された軸部５３が形成されており、他方のリンク部材７Ａの端部には、該軸部５３に回動自在に嵌合するほぼＣ字状の嵌合部５５が形成されている。そして、該軸部５３の周りに該嵌合部５５が装着されて回動することで、リンク部材７Ａ，７Ａが開閉し、開き角度規制手段７が前後方向に伸縮する。
【００３２】
さらに、図６に示すように、該軸部５３に形成された幅広頭部５３Ａには、第３係止部５４が突設されている。また、該嵌合部５５の根端部近傍には、前記第３係止部５４に係止可能な第４係止部５６が設けられている。そして、該回動部５１を中心にリンク部材７Ａ，７Ａが回動して該第３係止部５４と該第４係止部５６とが係止した位置で、該開き角度規制手段７を構成するリンク部材７Ａ，７Ａが水平方向で略一直線となり、該開き角度規制手段７が最も伸長した状態となる。
【００３３】
これまでに述べた構成のバリケード１Ａは、図１に示すように、前後一対の脚部材２，２を開くことで、自立して使用可能となる開脚状態αとなる。該開脚状態αにあっては、前記開き角度規制手段７が最大に伸長し、前後一対の脚部材２，２の開く方向への回動が規制されている。また、前記回動部１１における前記軸部１３の第１係止部１４と嵌合部１５の第２係止部１６とが係止して、該前後一対の脚部材２，２の開く方向への回動が規制され、安定的に開脚状態αが保持されている。
【００３４】
そして、バリケード１Ａを保管すべく、前記開脚状態αのバリケード１Ａの下部に配された前記操作杆８を作業者が引き上げると、図３，図４に示すように、該操作杆８の上昇に伴い前記開き角度規制手段７のリンク部材７Ａ，７Ａが折り畳まれて該開き角度規制手段７が収縮すると共に、前記リンク部材７Ａ，７Ａが前記前側の下側横架部６及び前記後側の下側横架部６に対して回動しながら、前側の下側横架部６と後側の下側横架部６とが互いに接近し、前後一対の脚部材２，２が閉じる方向へ回動する。そして、図７に示すように、一方の脚部材２と、他方の脚部材２の下側横架部６の端部により構成される当接部６０とが干渉して各前後一対の脚部材２，２において該脚部材２の閉じる方向への回動が規制されると、図３に示すように、保管時に隣接する他のバリケード１Ａ，１Ａが当接することとなるバリケード前面ｘとバリケード後面ｙとが互いに平行となる。このように、バリケード１Ａは、脚部材２の上端部に前記オフセット部２２を設けて脚部材本体部２１の中心軸線ＣＬを回動部１１に対して偏位させたため、閉脚状態βのバリケード１Ａを鉛直方向に多数重ね置いたり、水平方向に多数並び置いたりして多数のバリケード１Ａを整一な状態で保管することができる。
【００３５】
なお、前記脚部材２の脚部材本体部２１、上側横架部４、下側横架部６、開き角度規制手段７を構成するリンク部材７Ａ、及び操作杆８は、例えば硬質塩化ビニル製であって、管軸に直交する断面が円形で全長に亘って一定外径のパイプ（管材）で構成することが好ましい。また、前記パイプを使用した場合、パイプ同士を接続するために、適宜、樹脂製の継手を用いるのが好ましい。このように、樹脂製のパイプや継手を使用すると、バリケード１Ａが低コストで軽量、かつ大量生産可能となる利点がある。また、前記脚部材２のオフセット部２２は、図５に示すように、パイプからなる前後一対の脚部材本体部２１，２１同士を回動自在に連結する継手Ｐに突成されているパイプ接続部Ｐ１，Ｐ１で構成するようにしてもよい。また、該継手Ｐは、脚部材本体部２１を構成する樹脂製パイプにインサート成形を施すことによって構成することも可能である。また、脚部材２の脚部材本体部２１、上側横架部４、下側横架部６、開き角度規制手段７を構成するリンク部材７Ａ、及び操作杆８は、長尺の板状部材や角材等で構成されていてもよい。さらに、隣り合うバリケード１Ａ同士の接触面積を増加させて重ね置きした際の安定性を高めるために、脚部材２、上側横架部４、あるいは下側横架部６の外表面にリブが適宜形成されていてもよい。
【００３６】
また、本実施例のバリケード１Ａは、前後一対の脚部材２，２の上端部における連結構造が、左右に配置された該前後一対の脚部材２，２間において互いに非鏡像関係の同一形状となっている。すなわち、図２，図４に示すように、バリケード１Ａを正面視した際に、各前後一対の脚部材２，２における隣り合う脚部材２，２は左右に隣り合っているところ、左側の前後一対の脚部材２，２にあっては、前側の脚部材２が右側に配され、後側の脚部材２が左側に配されている。そして、該前側の脚部材２に軸部１３が形成され、該後側の脚部材２に嵌合部１５が形成されている。一方、右側の前後一対の脚部材２，２にあっては、前側の脚部材２が右側に配され、後側の脚部材２が左側に配されている。そして、該後側の脚部材２に軸部１３が形成され、該前側の脚部材２に嵌合部１５が形成されている。このように、左右に配置された前後一対の脚部材２，２間において、脚部材２，２を連結している回動部１１の構造が互いに非鏡像関係の同一形状となるようにすると、回動部１１を構成する継手Ｐを左右に配置された前後一対の脚部材２，２において共通して用いることが可能となり、該継手Ｐを製造するための金型、あるいは継手Ｐを、脚部材本体部２１を構成する樹脂製パイプにインサート成形するための金型が一種で足りるため、全体としてバリケード１Ａの製造コストを抑えることが可能となる。
【００３７】
また、前後一対の脚部材２，２の回動部１１や開き角度規制手段７の回動部５１を構成するために樹脂製継手を使用した場合、該継手を成形加工する際に軸部１３，５３や嵌合部１５，５５を一体成形して作製することができる。かかる構成とすることにより、回動部１１，５１の構造が簡素となると共に、回動部１１，５１に金属製のボルト等の固定手段を使用する必要がなくなるため、例えば錆の発生などの問題を排除できる。
【００３８】
また、上記構成のバリケード１Ａは、全体として簡素な構造体であり、組付け作業も簡便であるため、低コストで大量生産することが可能である。なお、本発明は金属製の脚部材やコの字状の断面を有する脚部材を用いた構成を積極的に排除するものではない。
【００３９】
（実施例２）
本実施例のバリケード１Ｂは、図８に示すように、前後一対の脚部材２，２の上端部における連結構造が、左右に配置された該前後一対の脚部材２，２間において互いに鏡像関係となっている。すなわち、バリケード１Ｂを正面視した際に、左側の前後一対の脚部材２，２にあっては、前側の脚部材２は右側に配され、後側の脚部材２は左側に配されている。そして、該前側の脚部材２に軸部１３が形成され、該後側の脚部材２に嵌合部１５が形成されている。一方、右側の前後一対の脚部材２，２にあっては、前側の脚部材２は左側に配され、後側の脚部材２は右側に配されている。そして、該前側の脚部材２に軸部１３が形成され、該後側の脚部材２に嵌合部１５が形成されている。したがって、左側の前後一対の脚部材２，２の回動部１１を構成する継手、及び右側の前後一対の脚部材２，２の回動部１１０を構成する継手は、別々の成形型によって作製されることとなる。かかる構成にあっても、該バリケード１Ｂを鉛直方向に多数重ね置いたり、水平方向に多数並び置いたりして多数のバリケード１Ｂを整一な状態で保管することができる。
【００４０】
（実施例３）
また、前記回動部１１，１１０については、他の形態が提案される。
すなわち、図９ａ，図９ｂに示すように、バリケード１Ａ，１Ｂを平面視した際に、前後一対の脚部材２，２の各中心軸線ＣＬが、該バリケード１Ａ，１Ｂにおける左右方向に対して直交する同一の鉛直平面内に含まれるように、各脚部材２，２を連結する回動部１１１，１１２であってもよい。かかる構成の回動部１１１，１１２を採用したバリケード１Ａ，１Ｂにあっては、閉脚状態βとした際に、該前後一対の脚部材２，２同士が干渉して該脚部材２の閉じる方向への回動が規制され、この状態でバリケード前面ｘとバリケード後面ｙとが互いに平行となる。
【００４１】
なお、実施例１，２にかかるバリケード１Ａ，１Ｂは、一方の脚部材２と、他方の脚部材２に接続された下側横架部６に設けられた当接部６０とが干渉したところで閉脚状態βとなり、実施例３にかかる構成の場合は、前後一対の脚部材２，２同士が互いに干渉したところで閉脚状態βとなるが、これらの構成に代えて、各脚部材２，２に別途当接部６０を構成する突起部等を設けて一方の脚部材２の当接部６０と他方の脚部材２とが干渉すると前後一対の脚部材２，２の閉じる方向への回動が規制されて閉脚状態βとなるような構成としてもよい。
【符号の説明】
【００４２】
１Ａ，１Ｂ            バリケード
２                    脚部材
４                    上側横架部
６                    下側横架部
７                    開き角度規制手段
７Ａ，７Ａ            リンク部材
８                    操作杆
１１，１１０〜１１２  回動部
１３                  軸部
１４                  第１係止部
１５                  嵌合部
１６                  第２係止部
２１                  脚部材本体部
２２                  オフセット部
ＣＬ                  中心軸線
ｘ                    バリケード前面
ｙ                    バリケード後面
α                    開脚状態
β                    閉脚状態
【図１】
2013007179.tif 000003
【図２】
2013007179.tif 000004
【図３】
2013007179.tif 000005
【図４】
2013007179.tif 000006
【図５】
2013007179.tif 000007
【図６】
2013007179.tif 000008
【図７】
2013007179.tif 000009
【図８】
2013007179.tif 000010
【図９】
2013007179.tif 000011